(57)【要約】【課題】ある端末装置の操作者に他の端末装置の位置を知らせることができる端末装置の位置通知方法、端末装置、位置通知用プログラム及び当該位置通知用プログラムを記録したコンピュータ読み取り可能な記録媒体を提供する。【解決手段】無線ネットワークにおいて、操作端末１ａ〜１ｅは、各操作端末１ａ〜１ｅの操作者の指示に応じたジョブを実行するために接続した他の端末（プリンタ２ａ、２ｂ、ルータ３等）を特定し、特定した端末に対して位置確認要求を送信する。そして、位置確認要求を受信した受信した端末は、内蔵するブザーを鳴らしたり、内蔵する発光素子を発光させることにより、当該端末の位置を位置確認要求を送信した操作端末１ａ〜１ｅの操作者に通知する。【選択図】　　　図１
2004030590.tif 000002
【特許請求の範囲】
【請求項１】
ネットワークに収容される第１の端末装置においては、
当該端末装置の操作者が指定した処理を実行するために当該端末装置が接続した１台以上の前記ネットワークに収容される第２の端末装置を特定し、前記第２の端末装置に対して、位置確認信号を送信し、
前記第２の端末装置においては、
前記位置確認信号を受信すると、当該第２の端末装置の位置を前記操作者に通知するための位置通知手段を駆動する
ことを特徴とする端末装置の位置通知方法。
【請求項２】
前記第１の端末装置においては、
１台以上の前記第２の端末装置のうち、前記操作者の指示に従って選択した端末装置に前記位置確認信号を送信する
ことを特徴とする請求項１に記載の端末装置の位置通知方法。
【請求項３】
ネットワークに収容される第１の端末装置においては、
当該端末装置の操作者が指定した処理を実行可能な１以上の第２の端末装置を前記ネットワークに収容される全ての端末装置の中から検索し、検索した前記第２の端末装置に対して、位置確認信号を送信し、
前記第２の端末装置においては、
前記位置確認信号を受信すると、当該第２の端末装置の位置を前記操作者に通知するための位置通知手段を駆動する
ことを特徴とする端末装置の位置通知方法。
【請求項４】
ネットワークに収容される第１の端末装置においては、
当該端末装置の操作者が指定した処理を実行するために当該端末装置が接続した１台以上の前記ネットワークに収容される第２の端末装置を特定し、前記第２の端末装置に対して、位置確認信号と駆動用データとを送信し、
前記第２の端末装置においては、
前記位置確認信号と前記駆動用データを受信すると、当該第２の端末装置の位置を前記操作者に通知するための位置通知手段を前記駆動用データに基づいて駆動し、
前記駆動用データは、前記位置通知手段の駆動内容を制御するためのデータである
ことを特徴とする端末装置の位置通知方法。
【請求項５】
前記第１の端末装置においては、
１台以上の前記第２の端末装置のうち、前記操作者の指示に従って選択した端末装置に前記位置確認信号と前記駆動用データとを送信する
ことを特徴とする請求項４に記載の端末装置の位置通知方法。
【請求項６】
ネットワークに収容される第１の端末装置においては、
当該端末装置の操作者が指定した処理を実行可能な１以上の第２の端末装置を前記ネットワークに収容される全ての端末装置の中から検索し、検索した前記第２の端末装置に対して、位置確認信号と駆動用データとを送信し、
前記第２の端末装置においては、
前記位置確認信号と前記駆動用データを受信すると、当該第２の端末装置の位置を前記操作者に通知するための位置通知手段を前記駆動用データに基づいて駆動し、
前記駆動用データは、前記位置通知手段の駆動内容を制御するためのデータである
ことを特徴とする端末装置の位置通知方法。
【請求項７】
前記第１の端末装置においては、
予め記録されている複数種類の前記駆動用データのうち、１つ以上の前記駆動用データを選択的に前記第２の端末装置に送信する
ことを特徴とする請求項４乃至６のいずれかに記載の端末装置の位置通知方法。
【請求項８】
前記第２の端末装置においては、
前記位置通知手段が駆動されると、放音または発光のいずれか一方を少なくとも行う
ことを特徴とする請求項１乃至７のいずれかに記載の端末装置の位置通知方法。
【請求項９】
ネットワークに収容される第１の端末装置においては、
当該端末装置の操作者が指定した処理を実行するために当該端末装置が接続した１台以上の前記ネットワークに収容される第２の端末装置を特定し、前記第２の端末装置の位置情報を取得し、
前記位置情報に基づいて、所定の表示手段により前記第２の端末装置の位置を表示する
ことを特徴とする端末装置の位置通知方法。
【請求項１０】
ネットワークに収容される第１の端末装置においては、
当該端末装置の操作者が指定した処理を実行可能な１以上の第２の端末装置を前記ネットワークに収容される全ての端末装置の中から検索し、検索した前記第２の端末装置の位置情報を取得し、
前記位置情報に基づいて、所定の表示手段により前記第２の端末装置の位置を表示する
ことを特徴とする端末装置の位置通知方法。
【請求項１１】
ネットワークに収容される端末装置において、
当該端末装置の操作者が指定した処理を実行するために当該端末装置が接続した１台以上の前記ネットワークに収容される他の端末装置を特定し、前記他の端末装置に対して、位置確認信号を送信する送信手段を有する
ことを特徴とする端末装置。
【請求項１２】
前記送信手段は、１台以上の前記他の端末装置のうち、前記操作者の指示に従って選択した端末装置に前記位置確認信号を送信する
ことを特徴とする請求項１１に記載の端末装置。
【請求項１３】
ネットワークに収容される端末装置において、
当該端末装置の操作者が指定した処理を実行可能な１以上の他の端末装置を前記ネットワークに収容される全ての端末装置の中から検索し、検索した前記他の端末装置に対して、位置確認信号を送信する送信手段を有する
ことを特徴とする端末装置。
【請求項１４】
ネットワークに収容される端末装置において、
駆動用データを記録する記録手段と、
当該端末装置の操作者が指定した処理を実行するために当該端末装置が接続した１台以上の前記ネットワークに収容される他の端末装置を特定し、前記他の端末装置に対して、位置確認信号と前記駆動用データとを送信する送信手段と
を有することを特徴とする端末装置。
【請求項１５】
前記送信手段は、１台以上の前記他の端末装置のうち、前記操作者の指示に従って選択した端末装置に前記位置確認信号と前記駆動用データとを送信する
ことを特徴とする請求項１４に記載の端末装置。
【請求項１６】
ネットワークに収容される端末装置において、
駆動用データを記録する記録手段と、
当該端末装置の操作者が指定した処理を実行可能な１以上の他の端末装置を前記ネットワークに収容される全ての端末装置の中から検索し、検索した前記他の端末装置に対して、位置確認信号を送信する送信手段と
を有することを特徴とする端末装置。
【請求項１７】
前記記録手段は、前記駆動用データを複数種類記録しており、
前記送信手段は、前記複数の駆動用データのうち、１つ以上の前記駆動用データを選択的に前記他の端末装置に送信する
ことを特徴とする請求項１４乃至１６のいずれかに記載の端末装置。
【請求項１８】
ネットワークに収容される端末装置において、
前記ネットワークに収容される他の端末装置から送信された位置確認信号を受信する受信手段と、
当該端末装置の位置を前記他の端末装置の操作者に通知するための位置通知手段と、
前記受信手段により前記位置確認信号が受信されると、前記位置通知手段を駆動する制御手段と
を有することを特徴とする端末装置。
【請求項１９】
ネットワークに収容される端末装置において、
前記ネットワークに収容される他の端末装置から送信された位置確認信号と駆動用データを受信する受信手段と、
当該端末装置の位置を前記他の端末装置の操作者に通知するための位置通知手段と、
前記受信手段により前記位置確認信号と前記駆動用データが受信されると、前記駆動用データに基づいて前記位置通知手段を駆動する制御手段とを有し、
前記駆動用データは、前記位置通知手段の駆動内容を制御するためのデータである
ことを特徴とする端末装置。
【請求項２０】
前記位置通知手段は、放音を行う放音手段または発光を行う発光手段の少なくともいずれか一方である
ことを特徴とする請求項１８または１９に記載の端末装置。
【請求項２１】
ネットワークに収容される端末装置において、
当該端末装置の操作者が指定した処理を実行するために当該端末装置が接続した１台以上の前記ネットワークに収容される他の端末装置を特定し、前記他の端末装置の位置情報を取得する取得手段と、
前記取得手段により取得した位置情報に基づいて、前記他の端末装置の位置を表示する表示手段と
を有することを特徴とする端末装置。
【請求項２２】
ネットワークに収容される端末装置において、
当該端末装置の操作者が指定した処理を実行可能な１以上の他の端末装置を前記ネットワークに収容される全ての端末装置の中から検索し、検索した前記他の端末装置の位置情報を取得する取得手段と、
前記取得手段により取得した位置情報に基づいて、前記他の端末装置の位置を表示する表示手段と
を有することを特徴とする端末装置。
【請求項２３】
送信手段を有し、ネットワークに収容されるコンピュータに、
当該コンピュータの操作者が指定した処理を実行するために当該コンピュータが接続した１台以上の前記ネットワークに収容される他の端末装置を特定し、前記他の端末装置に対して、前記送信手段により位置確認信号を送信させる手順を実行させるための位置通知用プログラム。
【請求項２４】
送信手段を有し、ネットワークに収容されるコンピュータに、
当該コンピュータの操作者が指定した処理を実行可能な１以上の他の端末装置を前記ネットワークに収容される全ての端末装置の中から検索し、検索した前記他の端末装置に対して、前記送信手段により位置確認信号を送信させる手順を実行させるための位置通知用プログラム。
【請求項２５】
送信手段と、記録手段を有し、ネットワークに収容されるコンピュータに、
当該コンピュータの操作者が指定した処理を実行するために当該コンピュータが接続した１台以上の前記ネットワークに収容される他の端末装置を特定し、前記他の端末装置に対して、前記記録手段に記録された駆動用データと、位置確認信号とを前記送信手段により送信させる手順を実行させるための位置通知用プログラム。
【請求項２６】
送信手段と、記録手段を有し、ネットワークに収容されるコンピュータに、
当該コンピュータの操作者が指定した処理を実行可能な１以上の他の端末装置を前記ネットワークに収容される全ての端末装置の中から検索し、検索した前記他の端末装置に対して、前記記録手段に記録された駆動用データと、位置確認信号とを前記送信手段により送信させる手順を実行させるための位置通知用プログラム。
【請求項２７】
送信手段を有し、ネットワークに収容されるコンピュータに、
当該コンピュータの操作者が指定した処理を実行するために当該コンピュータが接続した１台以上の前記ネットワークに収容される他の端末装置を特定し、前記他の端末装置に対して、前記送信手段により位置確認信号を送信させる手順を実行させるための位置通知用プログラムを記録したコンピュータ読み取り可能な記録媒体。
【請求項２８】
送信手段を有し、ネットワークに収容されるコンピュータに、
当該コンピュータの操作者が指定した処理を実行可能な１以上の他の端末装置を前記ネットワークに収容される全ての端末装置の中から検索し、検索した前記他の端末装置に対して、前記送信手段により位置確認信号を送信させる手順を実行させるための位置通知用プログラムを記録したコンピュータ読み取り可能な記録媒体。
【請求項２９】
送信手段と、記録手段を有し、ネットワークに収容されるコンピュータに、
当該コンピュータの操作者が指定した処理を実行するために当該コンピュータが接続した１台以上の前記ネットワークに収容される他の端末装置を特定し、前記他の端末装置に対して、前記記録手段に記録された駆動用データと、位置確認信号とを前記送信手段により送信させる手順を実行させるための位置通知用プログラムを記録したコンピュータ読み取り可能な記録媒体。
【請求項３０】
送信手段と、記録手段を有し、ネットワークに収容されるコンピュータに、
当該コンピュータの操作者が指定した処理を実行可能な１以上の他の端末装置を前記ネットワークに収容される全ての端末装置の中から検索し、検索した前記他の端末装置に対して、前記記録手段に記録された駆動用データと、位置確認信号とを前記送信手段により送信させる手順を実行させるための位置通知用プログラムを記録したコンピュータ読み取り可能な記録媒体。
【発明の詳細な説明】
【０００１】
【発明の属する技術分野】
本発明は、無線ＬＡＮ等に収容される端末装置の位置を知らせることが可能な端末装置の位置通知方法、端末装置、位置通知用プログラム及び当該位置通知用プログラムを記録したコンピュータ読み取り可能な記録媒体に関する。
【０００２】
【従来の技術】
近年、無線ＬＡＮ（Ｌｏｃａｌ　Ａｒｅａ　Ｎｅｔｗｏｒｋ）が注目されている。無線ＬＡＮとは、同軸ケーブルやツイストペアケーブルなどを使用せず、電波（無線）や赤外線を用いてネットワークを構築するテクノロジである。無線ＬＡＮを用いることで無線エリア内であれば端末装置を任意の場所で使用でき、各種端末装置の追加や変更も容易に行うことができる。また、有線のネットワークに比べ、敷設費用が少なくなる傾向にあることからオフィスや工場のネットワーク等に広く使用されている。
【０００３】
【発明が解決しようとする課題】
しかしながら、無線ＬＡＮの環境下においても、プリンタ等の端末装置は使用者がその位置を覚えておく必要があるため、実際にはあまり位置を変更することはできなかった。また、特に、プリンタ等の同種類の端末装置が複数存在する場合は、これら端末装置の位置に加えて各端末装置の名称や識別番号等を覚えておく必要があり、煩雑な問題があった。例えば、ある端末装置の操作者が印刷を指示しても、どのプリンタから印刷されたか判らない場合があった。
【０００４】
そこで本発明の目的は、ある端末装置の操作者に他の端末装置の位置を知らせることができる端末装置の位置通知方法、端末装置、位置通知用プログラム及び当該位置通知用プログラムを記録したコンピュータ読み取り可能な記録媒体を提供することを目的としている。
【０００５】
【課題を解決するための手段】
上記課題を解決するため、本発明は、端末装置の位置通知方法において、ネットワークに収容される第１の端末装置においては、当該端末装置の操作者が指定した処理を実行するために当該端末装置が接続した１台以上の前記ネットワークに収容される第２の端末装置を特定し、前記第２の端末装置に対して、位置確認信号を送信し、前記第２の端末装置においては、前記位置確認信号を受信すると、当該第２の端末装置の位置を前記操作者に通知するための位置通知手段を駆動することを特徴としている。
【０００６】
この方法によれば、第１の端末装置は、操作者が指定した処理を実行するために接続した第２の端末装置を特定し、特定した第２の端末装置に対して位置確認要求を送信することにより、第１の端末装置の操作者にこの操作者が利用した端末装置の位置を知らせることができる。
【０００７】
また、本発明は、端末装置の位置通知方法において、ネットワークに収容される第１の端末装置においては、当該端末装置の操作者が指定した処理を実行可能な１以上の第２の端末装置を前記ネットワークに収容される全ての端末装置の中から検索し、検索した前記第２の端末装置に対して、位置確認信号を送信し、前記第２の端末装置においては、前記位置確認信号を受信すると、当該第２の端末装置の位置を前記操作者に通知するための位置通知手段を駆動することを特徴としている。
【０００８】
この方法によれば、第１の端末装置は、操作者が指定した処理を実行可能な第２の端末装置を検索して位置通知信号を送信することにより、第１の端末装置の操作者がジョブを実行する前にそのジョブを実行可能な端末装置の位置を知らせることができる。
【０００９】
また、本発明は、端末装置の位置通知方法において、ネットワークに収容される第１の端末装置においては、当該端末装置の操作者が指定した処理を実行するために当該端末装置が接続した１台以上の前記ネットワークに収容される第２の端末装置を特定し、前記第２の端末装置に対して、位置確認信号と駆動用データとを送信し、前記第２の端末装置においては、前記位置確認信号と前記駆動用データを受信すると、当該第２の端末装置の位置を前記操作者に通知するための位置通知手段を前記駆動用データに基づいて駆動し、前記駆動用データは、前記位置通知手段の駆動内容を制御するためのデータであることを特徴としている。
【００１０】
この方法によれば、第１の端末装置は、操作者が指定した処理を実行するために接続した第２の端末装置を特定し、特定した第２の端末装置に対して、位置確認信号に加えて、第２の端末装置の位置通知手段の駆動内容を制御するための駆動用データを送信することにより、第１の端末装置側から第２の端末装置の位置通知手段の駆動を制御して、第１の端末装置の操作者に第２の端末装置の位置を知らせることができる。
【００１１】
また、本発明は、端末装置の位置通知方法において、ネットワークに収容される第１の端末装置においては、当該端末装置の操作者が指定した処理を実行可能な１以上の第２の端末装置を前記ネットワークに収容される全ての端末装置の中から検索し、検索した前記第２の端末装置に対して、位置確認信号と駆動用データとを送信し、前記第２の端末装置においては、前記位置確認信号と前記駆動用データを受信すると、当該第２の端末装置の位置を前記操作者に通知するための位置通知手段を前記駆動用データに基づいて駆動し、前記駆動用データは、前記位置通知手段の駆動内容を制御するためのデータであることを特徴としている。
【００１２】
この方法によれば、第１の端末装置は、操作者が指定した処理を実行可能な第２の端末装置を検索して位置通知信号駆動用データを送信することにより、第１の端末装置側から第２の端末装置の位置通知手段の駆動を制御して、第１の端末装置の操作者がジョブを実行する前にそのジョブを実行可能な端末装置の位置を知らせることができる。
【００１３】
また、本発明は、ネットワークに収容される端末装置において、当該端末装置の操作者が指定した処理を実行するために当該端末装置が接続した１台以上の前記ネットワークに収容される他の端末装置を特定し、前記他の端末装置に対して、位置確認信号を送信する送信手段を有することを特徴としている。
【００１４】
この構成によれば、端末装置は、操作者が指定した処理を実行するために接続した他の端末装置を特定し、特定した他の端末装置に対して位置確認要求を送信することにより、この端末装置の操作者にこの操作者が利用した他の端末装置の位置を知らせることができる。
【００１５】
また、本発明は、ネットワークに収容される端末装置において、駆動用データを記録する記録手段と、当該端末装置の操作者が指定した処理を実行するために当該端末装置が接続した１台以上の前記ネットワークに収容される他の端末装置を特定し、前記他の端末装置に対して、位置確認信号と前記駆動用データとを送信する送信手段とを有することを特徴としている。
【００１６】
この構成によれば、端末装置は、操作者が指定した処理を実行するために接続した他の端末装置を特定し、特定した他の端末装置に対して、位置確認信号に加えて、他の端末装置の位置通知手段の駆動内容を制御するための駆動用データを送信することにより、操作者が操作する端末装置側から他の端末装置の位置通知手段の駆動を制御して、この端末装置の操作者に他の端末装置の位置を知らせることができる。
【００１７】
また、本発明は、位置通知用プログラムにおいて、送信手段を有し、ネットワークに収容されるコンピュータに、当該コンピュータの操作者が指定した処理を実行するために当該コンピュータが接続した１台以上の前記ネットワークに収容される他の端末装置を特定し、前記他の端末装置に対して、前記送信手段により位置確認信号を送信させる手順を実行させることを特徴としている。
【００１８】
この構成によれば、コンピュータに操作者が指定した処理を実行するために接続した他の端末装置を特定させ、特定した他の端末装置に対して位置確認要求を送信させることにより、このコンピュータの操作者にこの操作者が利用した他の端末装置の位置を知らせることができる。
【００１９】
また、本発明は、位置通知用プログラムにおいて、送信手段と、記録手段を有し、ネットワークに収容されるコンピュータに、当該コンピュータの操作者が指定した処理を実行するために当該コンピュータが接続した１台以上の前記ネットワークに収容される他の端末装置を特定し、前記他の端末装置に対して、前記記録手段に記録された駆動用データと、位置確認信号とを前記送信手段により送信させる手順を実行させることを特徴としている。
【００２０】
このプログラムによれば、コンピュータに操作者が指定した処理を実行するために接続した他の端末装置を特定させ、特定した他の端末装置に対して、位置確認信号に加えて、他の端末装置の位置通知手段の駆動内容を制御するための駆動用データを送信させることにより、操作者が操作するコンピュータ側から他の端末装置の位置通知手段の駆動を制御して、このコンピュータの操作者に他の端末装置の位置を知らせることができる。
【００２１】
また、本発明は、コンピュータ読み取り可能な記録媒体において、送信手段を有し、ネットワークに収容されるコンピュータに、当該コンピュータの操作者が指定した処理を実行するために当該コンピュータが接続した１台以上の前記ネットワークに収容される他の端末装置を特定し、前記他の端末装置に対して、前記送信手段により位置確認信号を送信させる手順を実行させるための位置通知用プログラムを記録したことを特徴としている。
【００２２】
この記録媒体によれば、コンピュータに操作者が指定した処理を実行するために接続した他の端末装置を特定させ、特定した他の端末装置に対して位置確認要求を送信させることにより、このコンピュータの操作者にこの操作者が利用した他の端末装置の位置を知らせることができる。
【００２３】
また、本発明は、コンピュータ読み取り可能な記録媒体において、送信手段と、記録手段を有し、ネットワークに収容されるコンピュータに、当該コンピュータの操作者が指定した処理を実行するために当該コンピュータが接続した１台以上の前記ネットワークに収容される他の端末装置を特定し、前記他の端末装置に対して、前記記録手段に記録された駆動用データと、位置確認信号とを前記送信手段により送信させる手順を実行させるための位置通知用プログラムを記録したことを特徴としている。
【００２４】
この記録媒体によれば、コンピュータに操作者が指定した処理を実行するために接続した他の端末装置を特定させ、特定した他の端末装置に対して、位置確認信号に加えて、他の端末装置の位置通知手段の駆動内容を制御するための駆動用データを送信させることにより、操作者が操作するコンピュータ側から他の端末装置の位置通知手段の駆動を制御して、このコンピュータの操作者に他の端末装置の位置を知らせることができる。
【００２５】
【発明の実施の形態】
以下、適宜図面を参照しながら本発明の実施形態について説明する。
【００２６】
（１）　実施形態
（１．１）　実施形態の構成
図１は、本発明の実施形態に係る無線ネットワークシステムの概略構成を示す図である。同図において、１ａ、１ｂ、１ｃ、１ｄ、１ｅは、パーソナルコンピュータやＰＤＡ（Ｐｅｒｓｏｎａｌ　Ｄｉｇｉｔａｌ　Ａｓｓｉｓｔａｎｔｓ）等の操作端末であり、２ａ、２ｂは、各操作端末１ａ〜１ｅから送信された印刷データを受信して印刷を行う無線通信可能なプリンタである。３は、各操作端末１ａ〜１ｅをインターネットに接続するための無線通信可能なルータである。
【００２７】
また、４ａ、４ｂは、アクセスポイントであり、イーサネットケーブル等の通信回線に接続され、各サービスエリアＳＡ１またはＳＡ２内の操作端末１ａ〜１ｅが他のサービスエリアＳＡ２またはＳＡ１内の操作端末１ａ〜１ｅ、プリンタ２ａ、２ｂまたはルータ３等と通信できるように内外の中継を行うブリッジとして機能する。また、アクセスポイント４ａ、４ｂは、通信中の操作端末１ａ〜１ｅがサービスエリアＳＡ１、ＳＡ２の間を移動できるようにする、いわゆるローミングも可能である。なお、この無線ネットワークシステムにおける無線通信には、例えば、物理層のプロトコルとしてＤＳＳＳ（Ｄｉｒｅｃｔ　Ｓｅｑｕｅｎｃｅ　Ｓｐｒｅａｄ　Ｓｐｅｃｔｒｕｍ）方式、ＭＡＣ層のプロトコルとしてＣＳＭＡ／ＣＡ（Ｃａｒｒｉｅｒ　Ｓｅｎｓｅ　Ｍｕｌｔｉｐｌｅ　Ａｃｃｅｓｓ　ｗｉｔｈ　Ｃｏｌｌｉｓｉｏｎ　Ａｖｏｉｄａｎｃｅ）方式が採用される。また、有線通信には、ＭＡＣ層のプロトコルとしてＣＳＭＡ／ＣＤ（Ｃａｒｒｉｅｒ　Ｓｅｎｓｅ　Ｍｕｌｔｉｐｌｅ　Ａｃｃｅｓｓ　ｗｉｔｈ　Ｃｏｌｌｉｓｉｏｎ　Ｄｅｔｅｃｔｉｏｎ）方式が採用される。
【００２８】
図２は、操作端末（端末装置）１ａ〜１ｅの電気的構成を示すものであるが、ここでは、操作端末１ａを代表して説明する。操作端末１ａにおいて、送受信部（送信手段、受信手段）１０は、例えば、無線ＬＡＮカードであり、制御部１１の制御の下に操作端末１ｂ〜１ｅ、プリンタ２ａ、２ｂ、ルータ３またはアクセスポイント４ａ、４ｂとの間でデータの送受信を無線で行う。
【００２９】
制御部１１は、ＣＰＵ（Ｃｅｎｔｒａｌ　Ｐｒｏｃｅｓｓｉｎｇ　Ｕｎｉｔ）等を備えており、メモリ１６に格納された各種プログラムを読み出して実行することにより、操作端末１ａの装置各部を制御し、ワードプロセッサ、ブラウザ等の様々なアプリケーションの機能を実現させる。また、制御部１１は、ワードプロセッサ、ブラウザといった一般的なパーソナルコンピュータ等で実現されるアプリケーションの機能に加え、メモリ１６に格納された位置通知用プログラム群を読み出して実行することにより、プリンタ２ａ、２ｂ等の操作端末１ａ以外の端末の位置を操作端末１ａの操作者に通知させるための処理を行う。なお、操作者に他の端末の位置を通知するための処理の詳細については後述する。
【００３０】
表示部１２は、制御部１１の制御の下にメモリ１６に保持されるイメージデータに基づいて操作端末１ａの表示画面に各種情報を表示させる。操作部１３は、キーボードやマウスなどの入力デバイスを介して入力した操作者の操作を検出して制御部１１に通知する。
【００３１】
音源部（位置通知手段、放音手段）１４は、制御部１１の制御の下に操作端末１ａの内蔵スピーカに各種の音を放音させる。発光部（位置通知手段、発光手段）１５は、制御部１１の制御の下に操作端末１ａの所定位置に設けられたＬＥＤ（Ｌｉｇｈｔ　Ｅｍｉｔｔｉｎｇ　Ｄｉｏｄｅ）等の発光素子を発光させる。ここで、これら音源部１４及び発光部１５は、従来のパーソナルコンピュータやＰＤＡが具備するものでも追加したものでもよいが、本実施形態では、操作端末１ａの位置を通知するために使用されるものである。
【００３２】
メモリ（記録手段）１６は、送受信データ等を一時保持するバッファメモリ、表示画像のイメージデータを格納するビデオメモリ、この無線ネットワークシステムに収容される全ての端末のアドレスデータやＯＳ（Ｏｐｅｒａｔｉｎｇ　Ｓｙｓｔｅｍｓ）、ワードプロセッサ、ブラウザといったアプリケーションを実現するためのプログラム群や、上述した位置通知を行うための位置通知用プログラム群を格納するＨＤＤ（Ｈａｒｄ　Ｄｉｓｋ　Ｄｒｉｖｅ）を含んでいる。
【００３３】
また、図３は、プリンタ（端末装置）２ａ、２ｂの電気的構成を示す図であるが、ここでは、プリンタ２ａを代表して説明する。プリンタ２ａにおいて、送受信部（送信手段、受信手段）２０は、例えば、無線ＬＡＮカードであり、制御部２１の制御の下に操作端末１ａ〜１ｅ及びアクセスポイント４ａ、４ｂとの間でデータの送受信を無線で行う。制御部２１は、このプリンタ２ａ全体の制御を行うものであり、印刷処理部２２は、制御部２１の制御の下に外部から受信した印刷データに基づいて対応する画像を印刷させる処理を行う。
【００３４】
ブザー（位置通知手段、放音手段）２３は、制御部２１の制御の下にブザー音を放音する。また、発光部（位置通知手段、発光手段）２４は、制御部２１の制御の下にプリンタ２ａの所定位置に設けられたＬＥＤ等の発光素子を発光させる。本実施形態では、これらのブザー２３及び発光部２４は、プリンタ２ａの位置を通知するために使用されるものであるが、他の用途に使用してもよい。また、メモリ２５は、主として送受信データを一時保持するバッファメモリとして機能する。
【００３５】
また、図４は、ルータ（端末装置）３の電気的構成を示す図である。同図に示すように、ルータ３は、ルータ３全体の制御を行う制御部３０と、制御部３０の制御の下にＬＡＮ同士を接続するためのルーティング等のデータ転送処理を行う接続処理部３１と、ルーティングテーブル等を格納するメモリ３２を有している。
【００３６】
また、ルータ３は、上述したプリンタ２ａ、２ｂと同様に、無線ＬＡＮカード等の制御部３０の制御の下に操作端末１ａ〜１ｅ及びアクセスポイント４ａ、４ｂとの間でデータの送受信を無線で行う送受信部（送信手段、受信手段）３３と、送受信データを一時保持するバッファメモリとして機能するメモリ（メモリ３２に含む）と、制御部３０の制御の下にブザー音を放音するブザー（位置通知手段、放音手段）３４と、制御部３０の制御の下に所定位置に設けられたＬＥＤ等の発光素子を発光させる発光部（位置通知手段、発光手段）３５とを有している。本実施形態では、これらのブザー３４及び発光部３５は、ルータ３の位置を通知するために使用されるものであるが、他の用途に使用してもよい。
【００３７】
（１．２）　実施形態の動作
次に、本発明の動作について説明する。ここでは、操作端末１ａの制御部１１が上述した位置通知用プログラム群に従って実行される位置通知のための処理を行う際における操作端末１ａ及び他の端末の動作を中心に説明する。なお、操作端末１ａの動作は、操作端末１ｂ〜１ｅでも同様である。
【００３８】
操作端末１ａの制御部１１によって行われる位置通知のための処理では、操作端末１ａの操作者の指示によるジョブ（プリンタ２ａ、２ｂ等を利用した印刷処理や操作端末１ｂ〜１ｅとの間のデータ通信処理やルータ３を介したインターネットへの接続処理）の実行のために接続した（データの授受を行った）プリンタ２ａ、２ｂやルータ３等の他の端末の位置を操作者に通知するものであり、電源投入後に操作端末１ａが動作している間、常時ジョブの実行の有無を監視するジョブ監視処理を行っている。このようなジョブ監視処理について、操作端末１ａの操作者によって操作端末１ａから無線ネットワークを介して他の端末に対して印刷処理、データ送信処理及びインターネットへの接続処理を行った場合を例に挙げて説明する。
【００３９】
まず、操作端末１ａにおいて、制御部１１は、操作者により操作部１３を介して印刷処理の実行指示がなされたことを検出すると、対応する印刷データに、宛先アドレス（プリンタのアドレス）、送信元アドレス（操作端末１ａのアドレス）等を付加した後、送受信部１０により送信させる。そして、制御部１１は、送受信部１０を介して送信先のプリンタから受け取り確認応答（ＡＣＫ（ＡＣＫｎｏｗｌｅｄｇｅ））を所定期間受け取らなかった場合は、上記印刷データ等を再送信する処理を行う一方、受け取り確認応答を受け取った場合は、印刷処理を終了するようになっている。なお、ここでは、プリンタ２ａ宛に印刷データを送信したものとする。このとき、制御部１１は、印刷処理の実行を検出すると、上記宛先アドレス（以下、「宛先アドレスＡＤ１」という。）を取得してメモリ１６の所定領域に割り当てたアドレステーブルＴＡに格納するようになっている。
【００４０】
次に、操作端末１ａにおいて、制御部１１は、操作者により操作部１３を介して操作端末１ｂへのデータ送信指示がなされたことを検出すると、対応するデータに、宛先アドレス（操作端末１ｂのアドレス）、送信元アドレス等を付加した後、送受信部１０により送信させる。この場合も、受け取り確認応答を所定期間受け取らなかった場合は、上記データ等を再送信する処理を行う一方、受け取り確認応答を受け取ると、送信処理を終了するようになっている。また、制御部１１は、データ送信処理の実行を検出すると、上記宛先アドレス（以下、「宛先アドレスＡＤ２」という。）を取得してアドレステーブルＴＡの前回格納した宛先アドレスＡＤ１の後に格納するようになっている。
【００４１】
次に、操作端末１ａにおいて、制御部１１は、操作者により操作部１３を介してインターネットへの接続指示がなされたことを検出すると、インターネットへの接続を行うためのデータに、宛先アドレス（ルータ３のアドレス）、送信元アドレス等を付加して送受信部１０により送信させることにより、ルータ３を介してインターネットに接続する。この場合も、制御部１１は、受け取り確認応答を受け取るまで、ルータ３への接続処理を繰り返す一方、インターネットへの接続処理の実行を検出すると、上記宛先アドレス（以下、「宛先アドレスＡＤ３」という。）を取得してアドレステーブルＴＡの前回格納した宛先アドレスＡＤ２の後に格納するようになっている。
【００４２】
このようにして、図５にアドレステーブルＴＡの内容を示すように、制御部１１により実行されるジョブ監視処理によって、操作者の指示に応じたジョブ（印刷処理、データ送信処理、インターネット接続処理等）を実行するために操作端末１ａが接続した他の端末（以下、「接続端末」という。）のアドレスを取得することができるのである。なお、ジョブ監視処理を行うプログラムは、ＯＳに組み込まれていてもよい。
【００４３】
上記のように制御部１１は、上記ジョブ監視処理を常時実行すると共に、操作部１３を介して操作者から接続端末の位置確認を行う旨の指示がなされたことを検出した場合には、操作者に接続端末の位置を通知させるための位置確認処理を行う。位置確認処理では、まず制御部１１は、表示部１２に図６に例示するような位置確認画像４０を表示させる。同図に示すように、位置確認画像４０には、操作端末１ａの電源投入後、操作者の指示に応じたジョブを実行するために操作端末１ａが接続した全ての接続端末の位置確認を指示するための「確認」ボタンＢ１と、接続端末のうち位置確認を希望する接続端末を選択するための端末選択画像Ｇ１、端末選択画像Ｇ１で選択された接続端末の位置確認を指示するための「確認」ボタンＢ２、この位置確認画像４０の非表示を指示するための「閉じる」ボタンＢ３及びポインタＰ等が表示されるようになっている。ここで、端末選択画像Ｇ１に表示する端末名は、メモリ１６に格納された無線ネットワークシステム内の端末名をアクセステーブルＴＡに格納されるアドレスに基づいて抽出したものである。
【００４４】
また、制御部１１は、この位置確認画像４０内に表示されるポインタＰの位置を操作部１３を介して入力したマウス等の操作に従って移動させる一方、操作部１３を介して操作者による所定操作（マウスのクリック操作等）を検出すると、ポインタＰの位置に基づき「確認」ボタンＢ１等が操作されたか等の操作者の操作を検出できるようになっている。以下、位置確認画像４０内の「確認」ボタンＢ１と「確認」ボタンＢ２が操作された時の動作について説明する。
【００４５】
制御部１１は、「確認」ボタンＢ１の操作を検出した場合は、メモリ１６のアクセステーブルＴＡを参照することにより操作端末１ａと接続した全ての接続端末を特定し、特定した全ての接続端末に対して、送受信部１０により位置確認要求を送信させる。具体的には、制御部１１は、アクセステーブルＴＡに格納される全てのアドレスを所定順に宛先アドレスに設定することにより、送受信部１０によりプリンタ２ａ、操作端末１ｂ、ルータ３宛に位置確認要求を送信させる。なお、送信順は、ジョブ順の降順あるいは昇順のいずれでもよく、また、操作者が選択できるようにしてもよい。
【００４６】
このように端末装置１ａから送信された位置確認要求を受信したプリンタ２ａは、制御部２１がブザー２３により予め定めたブザー音を放音させると共に、発光部２４により予め定めた発光処理（点滅など）を行わせるようになっている。また、位置確認要求を受信した操作端末１ｂは、制御部１１が予め格納する音声データを音源部１４に供給して予め定めた音やメロディを放音させると共に、発光部１５により予め定めた発光処理を行わせるようになっている。また、位置確認要求を受信したルータ３は、制御部３０がブザー３４により予め定めたブザー音を放音させると共に、発光部３５により予め定めた発光処理（点滅など）を行わせるようになっている。
【００４７】
このようにして、操作端末１ａにおいては、制御部１１により「確認」ボタンＢ１の操作が検出されると、全ての接続端末宛に位置確認要求を速やかに送信して、これら接続端末に放音動作と発光動作を行わせるようになっている。これによって、操作端末１ａの操作者に対して、音や光によって各接続端末の位置を速やかに通知させることができる。なお、複数の接続端末に対して位置確認要求を送信する場合、制御部１１は、これら端末に短時間で位置確認要求を送信することによってほぼ同時に放音動作及び発光動作を行わせるようにしてもよく、間隔を空けて位置確認要求を送信することによって各端末に順に放音動作及び発光動作を行わせるようにしてもよい。
【００４８】
一方、制御部１１は、「確認」ボタンＢ２の操作を検出した場合は、メモリ１６のアクセステーブルＴＡを参照して端末選択画像Ｇ１内で選択された端末に対して、送受信部１０により位置確認要求を送信する。すなわち、操作端末１ａは、全ての接続端末のうち操作者が位置を確認したい接続端末に対してのみ位置確認要求を送信し、操作者が位置を確認したい接続端末のみに上述した放音動作及び発光動作を行わせることもできる。なお、端末選択画像Ｇ１内で選択可能な端末は１つに限られず、複数の端末を選択してもよい。
【００４９】
以上のように、各操作端末１ａ〜１ｅは、操作者の指示に応じたジョブを実行するために接続した全ての端末またはこれら端末のうち操作者が選択した端末に対して位置確認要求を送信することにより、これら端末に放音動作及び発光動作を行わせることができ、音や光によって各端末の位置を各操作端末１ａ〜１ｅの操作者に知らせることができる。従って、例えば、プリンタが複数ある場合でも印刷を行ったプリンタの位置を操作者が容易に知ることが可能となる。
【００５０】
ところで、位置確認要求を送信しても送信先の端末によっては放音や発光が行われない場合がある。すなわち、送信先の接続端末において、電源がオフ等されてオフラインに設定されていたり、この接続端末に割り当てられた通信チャンネルが使用中だったり、何らかの原因で通信不能になっている場合である。このため、各端末操作１ａ〜１ｅの操作者は、「確認」ボタンＢ１またはＢ２を操作しても暫くの間何らアクション（放音や発光）がなかった場合は、アクションがなかった端末は使用不能であることも速やかに知ることができる。これにより、上述した位置確認処理を印刷前またはインターネット接続前等に行えば、プリンタやルータ等が接続可能か否かを事前に確認することも可能となる。
【００５１】
（２）　本願発明は、上述した実施形態に限らず種々の態様にて実施することができる。例えば、以下のような変形実施が可能である。
（２．１）
上述の実施形態では、操作端末１ａ〜１ｅが位置確認要求を送信すると、位置確認要求を受信した端末（１ａ〜１ｅ、２ａ、２ｂ、３）が予め定めたブザー音の放音やメロディの放音、予め定めた発光動作といったアクションを行う場合について述べたが、位置確認要求を送信する際に、放音部（音源部やブザー）や発光部を駆動するための駆動用データを送信するようにし、位置確認要求と駆動用データを受信した端末が受信した駆動用データに基づいて放音部や発光部を駆動するようにしてアクションを異ならせるようにしてもよい。具体的には、以下の方法を適用すればよい。
【００５２】
▲１▼　図７に示すように、各操作端末１ａ〜１ｅのメモリ（記録手段）１６に、ネットワーク内の各端末のアドレス（ＡＤ１、ＡＤ２等）と、ブザー制御データ（Ｂ１、Ｂ２等）、音声データ（Ａ１、Ａ２等）、発光制御データ（Ｌ１、Ｌ２等）等の駆動用データとを対応付けした駆動用データテーブルＴＡ２を格納しておく。そして、各操作端末１ａ〜１ｅは、駆動用データテーブルＴＡ２に基づき、位置確認要求の送信先の端末のアドレスに対応する駆動用データを選択し、位置確認要求と共に選択した駆動用データを送信する。位置確認要求と駆動用データを受信した端末は、駆動用データにより放音部及び発光部を駆動する。
【００５３】
▲２▼　図８に示すように、各操作端末１ａ〜１ｅのメモリ（記録手段）１６に、ネットワーク内の各端末のアドレス（ＡＤ１、ＡＤ２等）と、駆動用データを特定するコード（Ｃ１、Ｃ２等）とを対応付けしたコードテーブルＴＡ３を格納しておき、例えば、プリンタ２ａ（アドレスＡＤ１）のメモリ２５に、各コードと駆動用データとを対応付けしたコードテーブルＴＡ４を格納しておく。そして、各操作端末１ａ〜１ｅは、コードテーブルＴＡ３に基づき、位置確認要求の送信先の端末のアドレス（図８においてＡＤ１）に対応するコード（図８においてＣ１）を選択し、位置確認要求と共にコード（図８においてＣ１）を送信する。位置確認要求とコード（図８においてＣ１）を受信したプリンタ２ａは、コードテーブルＴＡ４を参照し、受信したコードＣ１に対応する駆動用データ（Ｂ１、Ｌ１）によりブザー２３及び発光部２４を駆動する。
【００５４】
▲３▼　各操作端末１ａ〜１ｅのメモリ１６に複数種類の駆動用データを格納しておき、操作者に対して、位置確認要求の送信前にどの駆動用データを送信するか否かの選択を促す。例えば、制御部１１が「確認」ボタンＢ１またはＢ２の操作を検出した場合に、駆動用データを選択する選択画面を表示させ、操作者により選択された駆動用データを位置確認要求と共に送信するようにする。
【００５５】
このようにすれば、位置確認要求を受信した端末に応じて異なる音やメロディを放音させたり、異なる発光動作を行わせることができ、また、位置確認要求を送信した操作端末１ａ〜１ｅに応じて位置確認要求を受信した端末が行う放音動作や発光動作を異ならせることもできる。これにより、各操作端末１ａ〜１ｅの操作者は、自分が知りたい端末の位置をより確実に知ることが可能となる。
さらに、各端末のアドレスに割り当てる駆動用データやコードを操作者が任意に設定できるようにしてもよく、駆動用データそのものを操作者が作成できるようにしてもよい。また、駆動用データには、ＭＩＤＩ（Ｍｕｓｉｃａｌ　Ｉｎｓｔｒｕｍｅｎｔｓ　Ｄｉｇｉｔａｌ　Ｉｎｔｅｒｆａｃｅ）データ等の各種データを広く適用することができる。
【００５６】
（２．２）
また、上述の実施形態では、各操作端末１ａ〜１ｅがジョブを実行するために接続した端末に対して位置確認要求を送信する場合について述べたが、各操作端末１ａ〜１ｅが操作者が指定したジョブを実行可能な端末を検索し、検索した端末に対して位置確認要求を送信するようにしてもよい。このようにすれば、操作者は、ジョブの実行前にそのジョブを実行可能な端末の位置を確認することができる。具体的には、例えば、操作端末１ａの操作者がプリンタの位置通知を指示した場合、操作端末１ａは、このネットワークに収容される全ての端末に対して順次問い合わせを行い、応答が返って来た端末の中からプリンタを特定して位置確認要求を送信するようにすればよい。
【００５７】
また、他の具体例として、ネットワーク内の全ての端末が接続可能か否かの状態を示すデータ（以下、「接続状態データ」という。）を操作端末１ａ〜１ｅのいずれかが保持または管理するようにし、例えば、操作端末１ａの操作者がプリンタの位置通知を指示した場合、操作端末１ａは、予め定めた操作端末から接続状態データをダウンロードし、この接続状態データに基づいて接続可能なプリンタを特定して位置確認要求を送信するようにすればよい。また、接続状態データを保持または管理するネットワークサーバを別途設けるようにしてもよい。この場合において、（２．１）に記載したように位置確認要求を送信する際に併せて駆動用データを送信するようにしてもよい。
【００５８】
（２．３）
上述の実施形態では、無線ネットワークに収容される全ての端末（１ａ〜１ｅ、２ａ、２ｂ、３）が放音部（音源部やブザー）と発光部を備え、位置確認要求を受信すると、放音と発光のアクションを行う場合について述べたが、要は該端末の位置を操作者に知らせることができればよく、放音部または発光部のいずれかを備えて放音または発光のいずれかを行うようにしてもよい。また、液晶ディスプレイやブラウン管などの表示装置を有する端末が位置確認要求を受信した場合は、液晶ディスプレイやブラウン管にその旨や所定の画像を表示するようにしてもよい。
【００５９】
さらに、音や光による位置通知に代えて（または加えて）、操作端末１ａ〜１ｅの表示画面に当該操作端末が接続した端末の位置を表示させるようにしてもよい。この場合、例えば、操作端末１ａ〜１ｅにおいて、図９に示すように、ネットワークに収容される端末の位置情報をアドレスと対応付けて事前にまたは定期的に取得してメモリ１６に格納すると共に、ネットワークが構築されたオフィスの平面図等の画像データをメモリ１６に格納しておく。そして、図１０に例示するように、操作端末１ａ〜１ｅの画面にオフィスの画像を表示した場合に、アドレステーブルＴＡに格納したアドレスに対応する位置情報に基づいて、表示した画像内に当該操作端末が接続した端末の位置、若しくは（２．２）に記載した方法で検索した操作者が指定したジョブを実行可能な端末の位置を表示するようにすればよい。
【００６０】
（２．４）
上述の実施形態では、アドレステーブルＴＡにアドレスのみを格納する場合について述べたが、図１１に示すように、ジョブの内容や実行日時を併せて格納してもよい。そして、位置確認画像４０内の端末選択画像Ｇ１に端末名に加えてジョブの内容や実行日時を表示するようにしてもよい。この場合、図１２に示すように、実行したジョブを選択するジョブ選択画像Ｇ２を有する位置確認画像４０Ａを表示し、「確認」ボタンＢ４が操作された場合は、ジョブ選択画像Ｇ２内で選択されたジョブを実行するために接続した端末に対して位置確認要求を送信するようにしてもよい。
【００６１】
（２．５）
また、上述の実施形態では、操作端末１ａ〜１ｅにおいても他の端末から位置確認要求を受信すると、他の端末の操作者に音や光で位置を通知する場合について述べたが、操作端末１ａ〜１ｅは、位置確認要求の送信のみを行い、上記位置の通知は行わないようにしてもよい。
【００６２】
（２．６）
上述の実施形態では、操作者が所定操作（「確認」ボタンＢ１またはＢ２の操作）を行った場合にのみ位置確認要求を送信する場合について述べたが、操作者の事前設定等に基づいてジョブをトリガとして位置確認要求を自動的に送信するようにしてもよい。この場合、ジョブ実行時に接続した端末にジョブに対応する処理の実行と併せて位置を通知させることができる。
【００６３】
（２．７）
上述の実施形態では、ソフトウェアボタン等によって位置確認操作を行う場合について述べたが、操作端末１ａ〜１ｅにハードウェアボタン（操作スイッチ）を設け、このボタン操作によって位置確認操作を行うようにしてもよい。
【００６４】
（２．８）
上述の実施形態では、無線ネットワークシステムに本発明を適用する場合について述べたが、次世代短距離通信方式のＢｌｕｅｔｏｏｔｈ（登録商標）に本発明を適用してもよく、有線ネットワークシステムに適用してもよい。
【００６５】
（２．９）
上述の実施形態では、他の端末装置の位置を通知させるため位置通知用プログラムを予め操作端末１ａ〜１ｅに記録しておく場合について述べたが、図１３に示すように、この位置通知用プログラムを磁気記録媒体、光記録媒体、半導体記憶媒体などのコンピュータが読み取り可能な記録媒体に記録し、コンピュータが位置通知用プログラムを読み取って実行するようにしてもよい。また、図１４に示すように、この位置通知用プログラムをサーバに格納し、ネットワークを介してサーバが送信要求のあったパーソナルコンピュータ等の端末装置に位置通知用プログラムを送信するようにしてもよい。
【００６６】
【発明の効果】
上述したように本発明は、端末装置の操作者の指示に応じたジョブを実行するために該端末装置が接続した端末装置（接続端末）に対して位置確認要求を送信し、位置確認要求を受信した端末装置が音や光等で位置を通知するようにしたことにより、ある端末装置の操作者に接続端末の位置を知らせることができる。
【図面の簡単な説明】
【図１】本発明の実施形態に係る無線ネットワークシステムの概略構成を示す図である。
【図２】操作端末の電気的構成を示すブロック図である。
【図３】プリンタの電気的構成を示すブロック図である。
【図４】ルータの電気的構成を示すブロック図である。
【図５】アクセステーブルの内容を示す図である。
【図６】操作端末に表示される位置確認画像の一例を示す図である。
【図７】変形実施例の説明に供する駆動用データテーブルの内容を示す図である。
【図８】変形実施例の説明に供するコードテーブルの内容を示す図である。
【図９】変形実施例の説明に供するメモリの内容を示す図である。
【図１０】変形実施例の説明に供する表示画面の一例を示す図である。
【図１１】変形実施例の説明に供するアドレステーブルの内容を示す図である。
【図１２】変形実施例の説明に供する表示画面の一例を示す図である。
【図１３】変形実施例の説明に供する図である。
【図１４】変形実施例の説明に供する図である。
【符号の説明】
１ａ〜１ｅ……操作端末、２ａ、２ｂ……プリンタ、３……ルータ、４ａ、４ｂ……アクセスポイント、１０、２０、３３……送受信部、１１、２１、３０……制御部、１２……表示部、１４……音源部、１５、２４、３５……発光部、１６、２５、３２……メモリ、２２……印刷処理部、３１……接続処理部、２３、３４……ブザー、４０、４０Ａ……位置確認画像、Ｇ１……端末選択画像、Ｇ２……ジョブ選択画像、Ｂ１、Ｂ２、Ｂ４……「確認」ボタン、Ｂ３……「閉じる」ボタン、ＳＡ１、ＳＡ２……サービスエリア。
【図１】
2004030590.tif 000003
【図２】
2004030590.tif 000004
【図３】
2004030590.tif 000005
【図４】
2004030590.tif 000006
【図５】
2004030590.tif 000007
【図６】
2004030590.tif 000008
【図７】
2004030590.tif 000009
【図８】
2004030590.tif 000010
【図９】
2004030590.tif 000011
【図１０】
2004030590.tif 000012
【図１１】
2004030590.tif 000013
【図１２】
2004030590.tif 000014
【図１３】
2004030590.tif 000015
【図１４】
2004030590.tif 000016